(57)【要約】【課題】本発明は、乗降部の異常を事前に検出して櫛板の破損を未然に防止し得る乗客コンベアを提供することにある。【解決手段】本発明は、櫛板１４の乗降床９への取付部近傍にクリート５Ｋとの接触により電流変化を生じる導電体２０を設け、この導電体２０の電流変化を検出して異常を検出する異常検出手段を設けたのである。  上記構成とすることで、仮に、踏板５が浮上ったりした場合、浮上った踏板５のクリート５Ｋが導電体２０に接触するので、導電体２０が破断したり削り込まれたりして電流が遮断されたり不安定となる。そこで、その電流を異常検出手段で検出して異常を報知したり運転を停止したりすることで、乗降床９先端近傍での不具合を事前に検出することができ、その結果、櫛板１４の破損を未然に防止することができるのである。【選択図】図２
2010001085.tif 000002
【特許請求の範囲】
【請求項１】
進行方向に沿って複数のクリートを設けた踏板と、この踏板への乗降を行うための乗降床と、この乗降床の先端に取付けられ前記クリートと非接触で噛み合う櫛歯を有する櫛板とを備えた乗客コンベアにおいて、前記櫛板の乗降床への取付部近傍に前記クリートとの接触により電流変化を生じる導電体を設け、この導電体の電流変化を検出して異常を検出する異常検出手段を設けたことを特徴とする乗客コンベア。
【請求項２】
進行方向に沿って複数のクリートを設けた踏板と、この踏板への乗降を行うための乗降床と、この乗降床の先端に取付けられ前記クリートと非接触で噛み合う櫛歯を有する櫛板とを備えた乗客コンベアにおいて、前記櫛板の乗降床への取付部近傍に前記クリートとの接触により断線する導電体を設け、この導電体に常時電流を流す検出回路を設け、この検出回路の電流変化を検出して異常を検出する異常検出手段を設けたことを特徴とする乗客コンベア。
【請求項３】
進行方向に沿って複数のクリートを設けた踏板と、この踏板への乗降を行うための乗降床と、この乗降床の先端に取付けられ前記クリートと非接触で噛み合う櫛歯を有する櫛板とを備えた乗客コンベアにおいて、前記櫛板の乗降床への取付部近傍に前記クリートとの接触により電流変化を生じる導電体を設け、この導電体の電流変化を検出して異常を検出する異常検出手段を設けると共に、この異常検出手段による異常検出に基づいて異常を報知する異常報知手段と、前記異常検出手段による異常検出に基づいて運転停止を指示する運転制御手段とを備えたことを特徴とする乗客コンベア。
【請求項４】
前記導電体は、前記踏板との間隔を、前記櫛板と前記踏板との上下間隔よりも小さくしたことを特徴とする請求項１，２又は３記載の乗客コンベア。
【請求項５】
前記導電体は、前記クリートと直行する方向に延在設置されていることを特徴とする請求項１，２，３又は４記載の乗客コンベア。
【請求項６】
前記導電体は、取付部分に絶縁材を介して導電性塗料の塗布により形成したことを特徴とする請求項１，２，３，４又は５記載の乗客コンベア。
【請求項７】
前記導電体は、前記クリートとの接触部分をクリート側に向かって突出しており、その突出した部分は踏板進行方向に沿った円弧状に形成されていることを特徴とする請求項１，２，３，４又は５記載の乗客コンベア。
【請求項８】
前記導電体は、前記クリートとの接触部分をクリート側に向かって突出した部分と、前記クリートから離れた部分とで形成されていることを特徴とする請求項１，２，３，４又は５記載の乗客コンベア。
【請求項９】
前記導電体は、絶縁材を介して取付部分に支持されていると共に、前記クリートに対しては導電体よりも前記絶縁材が接近していることを特徴とする請求項１，２，３，４又は５記載の乗客コンベア。
【請求項１０】
前記導電体は、絶縁被覆されていることを特徴とする請求項１，２，３，４又は５記載の乗客コンベア。
【発明の詳細な説明】
【技術分野】
【０００１】
本発明はエスカレーターや電動道路等の乗客コンベアに係り、特に、踏板にクリートが設けられ、乗降床の先端に前記クリートと非接触で噛合う櫛歯を有する櫛板を備えた乗客コンベアに関する。
【背景技術】
【０００２】
通常、乗降床先端に設けられた櫛板の櫛歯の破損を検出する技術として、例えば特許文献１に示すような検出装置が既に提案されている。
【０００３】
【特許文献１】特表２００４−５１０６６１号公報
【発明の開示】
【発明が解決しようとする課題】
【０００４】
上記特許文献１に記載の検出装置は、櫛板の破損を検知するものであるが、櫛板の破損前に異常を検出して櫛板の破損を未然に防止することは配慮されていなかった。
【０００５】
本発明の目的は、乗降部の異常を事前に検出して櫛板の破損を未然に防止し得る乗客コンベアを提供することにある。
【課題を解決するための手段】
【０００６】
本発明は上記目的を達成するために、櫛板の乗降床への取付部近傍に踏板のクリートとの接触により電流変化を生じる導電体を設け、この導電体の電流変化を検出して異常を検出する異常検出手段を設けたのである。
【０００７】
上記構成とすることで、仮に、踏板のクリートが浮上ったり、クリート間に異物を挟みこんだまま櫛板に到達したりした場合、浮上ったクリートや挟みこんだ異物が導電体に接触するので、導電体が破断したり削り込まれたりして電流が遮断されたり不安定となる。そこで、その電流を異常検出手段で検出して異常を報知したり運転を停止したりすることで、乗降床近傍での不具合を事前に検出することができ、その結果、櫛板の破損を未然に防止することができるのである。
【発明の効果】
【０００８】
以上説明したように本発明によれば、乗降部の異常を事前に検出して櫛板の破損を未然に防止し得る乗客コンベアを得ることができる。
【発明を実施するための最良の形態】
【０００９】
以下、本発明の乗客コンベアの一実施の形態を、図１〜図５に示すエスカレーターに基づいて説明する。
【００１０】
一般に、エスカレーター１は、上階床２と下階床３とに跨って支持された枠体４と、踏板５を有し無端状に連結された複数の踏段と、これら踏段の移動方向両側の前記枠体４上に立設された欄干６Ａ，６Ｂと、この欄干６Ａ，６Ｂの周縁に案内されて移動する移動手摺７Ａ，７Ｂと、前記踏段への乗り降りを行う上部の乗降床８及び下部の乗降床９とを有している。
【００１１】
ここで、上部の乗降床８と下部の乗降床９とは、基本的構成は同じであるので、詳細な説明は下部の乗降床９を一例に説明する。
【００１２】
乗降床９は、金属材料で構成され、強度部材１０とその表面を覆う化粧部材１１とを有している。そして、強度部材１０の先端部には取付け面１２が形成されており、この取付け面１２にねじ孔１３が切られている。
【００１３】
このように構成された乗降床９の先端となる前記取付け面１２に、櫛体１４が取付けられる。この櫛体１４は、合成樹脂等の絶縁材料の成型品であり、基部１５とその先端に連なる櫛歯１６とから構成されている。櫛歯１６は、前記踏板５の表面に進行方向に沿い踏板幅方向に複数形成されたクリート５Ｋと非接触状態で噛合っている。そして、前記基部１５の裏面側には取付け面１７が形成され、この取付け面１７を貫通してねじ貫通孔１８が設けられている。
【００１４】
このように構成された櫛体１４の取付け面１７を、前記乗降床９の取付け面１２に置き、皿ねじ１９を、ねじ貫通孔１８を貫通させてねじ孔１３にねじ込むことで、櫛板１４は乗降床９の先端に取付けられる。
【００１５】
ところで、ここに示す櫛板１４は、図１に示すように、その裏面となる取付け面１７における基部１５と櫛歯１６との境界部近傍（櫛板１４の乗降床９への取付部近傍）に、導電体２０として、例えば、ポリウレタン樹脂やアクリル樹脂にニッケル粉末を混入した導電性塗料を、櫛板９の幅方向に沿う方向に設置した絶縁材２１に塗布している。尚、絶縁材２１は、支持板２２に固定されており、この支持板２２は櫛板１４と乗降床９との両取付け面１２，１７間に挟持させている。
【００１６】
前記導電体２０の端２０Ｅには、中継端子２３が設置されている。この中継端子２３は、導電体２０と同じものでもよく、導電板或いは導電箔でもよい。そして、これら中継端子２３は、電源側に接続されるリード線２４が接続されている。このようにして、導電体２０と端２０Ｅ及び中継端子２３との接続で、そこを流れる電流の電流変化を検出する検出回路を形成している。
【００１７】
このリード線２４には、図３に示すように、導電体２０と端２０Ｅ及び中継端子２３とで形成した検出回路の電流の変化、例えば電流の遮断や断続的流れを検出する異常検出手段である電流検知リレー２５が接続されており、さらに、絶縁トランス２６を介して電源（図せず）に接続されている。尚、電流検知リレー２５の動作により作動する接点をエスカレーター１の運転の起動停止を制御する運転制御手段や異常報知手段に設けておく。また、絶縁トランス２６は、例えば、屋外設置のエスカレーターのように、雨水等が櫛板１４の取付け面１７に滲み込んで、漏電したときに、電源側を保護するものである。この絶縁トランス２６に換えて漏電ブレーカを設置してもよい。
【００１８】
ところで、前記導電体２０は、上述のように接続することで、踏板５の幅方向に延在され、云い代えれば、平面的に見てクリート５Ｋと直行する方向に延在されることになる。そして、前記導電体２０は、クリート５Ｋの頂部との間隔Ｓを、櫛板１４の基部１５とクリート５Ｋの頂部との最小間隔Ｓ１や櫛歯１６とクリート５Ｋの底部との最小間隔Ｓ２よりも小さくなるように設置している。この間隔Ｓの調節は、絶縁材２１の高さを変えることで突出量を変えて行うことができる。
【００１９】
このように構成したエスカレーター１によれば、仮に、踏板５のクリート５Ｋが何らかの理由で浮上った場合には、いち早くクリート５Ｋの頂部が導電体２０に接触して削り取り、検出回路を遮断して電流を遮断する。検出回路の電流遮断（電流変化）により、電流検知リレー２５がエスカレーター１の運転の起動停止を制御する運転制御手段や異常報知手段を作動させて、エスカレーター１を人為的あるいは自動的に停止させる。
【００２０】
したがって、櫛板１４とクリート５Ｋとが強固に接触して、櫛板１４やクリート５Ｋを破損や損傷に至らしめることを未然に防止することができる。
【００２１】
また、何らかの原因で、乗降床９の先端部分が踏板５側に変形した場合にも、上述と同様に、いち早くクリート５Ｋの頂部が導電体２０に接触するので、櫛板１４やクリート５Ｋを破損や損傷に至らしめることを未然に防止することができる。
【００２２】
さらに、通常の運転時に、皿ねじ１９が緩んで、櫛板１４のみが乗降床９の取付け面１２に対して上下動した場合にも、櫛板１４とクリート５Ｋとが直接接触する前にエスカレーター１の運転を停止させることができるので、櫛板１４やクリート５Ｋを破損や損傷に至らしめることを未然に防止することができる。
【００２３】
この外、クリート５Ｋに岩石などの異物が挟み込まれた状態で踏板５が櫛板１４部分を通過する際、異物が前記最小間隔Ｓ１よりも小さく間隔Ｓよりも大きい場合には、導電体２０が異物により切断されるので、エスカレーター１を停止させることができ、また、異物が前記最小間隔Ｓ１よりも大きい場合には、異物が櫛板１４にいきなり接触して最小間隔Ｓ１を拡張させて櫛板１４を変形させるが、次の瞬間、異物が導電体２０を切断するので、エスカレーター１を停止させることができる。
【００２４】
上記実施の形態において、導電性塗料による導電体２０を検出回路の一部として構成したが、導電性塗料の換わりに、導電箔や導電性フィルム、さらには導電線等の導電体２０を用いてもよい。
【００２５】
図６は、前記実施の形態による導電体２０の第１の変形例を示すものである。
【００２６】
第１の変形例において、前記実施の形態による導電体２０と異なる構成は、クリート５Ｋの頂部と対向する面を、円弧状の突部に形成した導電体２０Ａを用いたのである。
【００２７】
このような導電体２０Ａを用いることにより、前記実施の形態による効果を奏するほか、導電体２０Ａに対してクリート５Ｋが瞬間的に接触しても、直ちに導電体２０Ａが切断されることがなく、頻繁なエスカレーター１の運転停止を防止することができる効果を奏することができる。
【００２８】
また、図７は、前記実施の形態による導電体２０の第２の変形例を示すもので、第１の変形例を改善したものである。
【００２９】
即ち、第２の変形例による導電体２０Ｂは、踏板進行方向の中間位置に、凹溝を形成し、この凹溝内にも導電体２０Ｂを塗布あるいは貼付したものである。
【００３０】
このような導電体２０Ｂを用いることにより、導電体２０Ｂに対してクリート５Ｋが瞬間的に接触しても、直ちに導電体２０Ｂが切断されることがなく、頻繁なエスカレーター１の運転停止を防止することができると云う第１の変形例と同等の効果を奏することができる。
【００３１】
尚、導電体２０Ｂに対するクリート５Ｋの瞬間的な接触によって頻繁なエスカレーター１の運転停止を防止するためには、凹溝内にのみ導電体２０Ｂを塗布あるいは貼付し、凹溝内の電体２０Ｂの切断位置を前記間隔Ｓに一致する位置としてもよい。
【００３２】
ところで以上の説明は、導電体２０，２０Ａ，２０Ｂとして塗布あるいは貼付できる導電材を用いたが、図８に示す第３の変形例に示すように、銅細線２０Ｃを用いることもできる。
【００３３】
即ち、絶縁材２１のクリート５Ｋの頂部と対向する位置に凹溝２１Ｇを形成し、この凹溝２１Ｇ内に導電体２０Ｃとして銅細線を埋め込んだのである。そして埋め込まれた銅細線は、凹溝２１Ｇから突出しないようにし、一瞬的なクリート５Ｋとの接触によって容易に銅細線が切断しないようにしたものである。勿論、この銅細線の切断位置は前記間隔Ｓに合わせておくことである。
【００３４】
上記構成によっても上記実施の形態及び各変形例と同等の効果を奏することができる。
【００３５】
さらに、図９は、第４の変形例を示すもので、絶縁材２１のクリート５Ｋの頂部と対向する位置に導電体２０Ｄとして絶縁被覆細電線を固定したのである。絶縁被覆細電線の固定法は、第３の変形例と同様に、絶縁材２１のクリート５Ｋの頂部と対向する位置に凹溝２１Ｇを形成し、この凹溝２１Ｇ内に絶縁被覆細電線を埋め込んだのである。
【００３６】
このように構成することで、瞬時的なクリート５Ｋとの接触は、絶縁被覆細電線の被覆絶縁層や絶縁材２１によって受けることができるので、瞬時的なクリート５Ｋとの接触によって絶縁被覆細電線を容易に切断することはない。
【００３７】
尚、絶縁材２１に凹溝２１Ｇを設けず、絶縁被覆細電線を絶縁材２１のクリート５Ｋの頂部と対向する位置に直接固定するようにしてもよい。その際には、勿論、絶縁被覆細電線の切断位置を前記間隔Ｓに一致させる必要がある。
【００３８】
以上説明したように本発明による実施の形態及び各変形例によれば、乗降部の異常を事前に検出して櫛板１４やクリート５Ｋの破損を未然に防止することができる。
【００３９】
ところで以上説明の実施の形態は、乗客コンベアとして、エスカレーターを説明したが、エスカレーターに限らず、踏板に段差が生じない電動道路であっても踏板にクリートを有しこのクリートと非接触で噛合う櫛歯が乗降床先端に取付けられていれば、本発明が適用できるのは云うまでもない。
【図面の簡単な説明】
【００４０】
【図１】本発明による乗客コンベアの一実施の形態を示すエスカレーターの乗降床線端部を示す要部概略平面図。
【図２】図１のＡ−Ａ線に沿う縦断拡大側面図。
【図３】図１の導電体を含む検出回路を示すブロック図。
【図４】乗客コンベアとしてエスカレーターを示す斜視図。
【図５】図４の下部乗降床を示す拡大図。
【図６】導電体の第１の変形例を示す図２相当図。
【図７】導電体の第２の変形例を示す図２相当図。
【図８】導電体の第３の変形例を示す図２相当図。
【図９】導電体の第４の変形例を示す図２相当図。
【符号の説明】
【００４１】
１…エスカレーター、２…上階床、３…下階床、４…枠体、５…踏段、５Ｋ…クリート、６Ａ，６Ｂ…欄干、７Ａ，７Ｂ…移動手摺、８…上部乗降床、９…下部乗降床、１０…強度部材、１１…化粧部材、１２…取付け面、１３…ねじ孔、１４…櫛体、１５…基部、１６…櫛歯、１７…取付け面、１８…ねじ貫通孔、１９…皿ねじ、２０，２０Ａ，２０Ｂ，２０Ｃ，２０Ｄ…導電体、２０Ｅ…端、２１…絶縁体、２１Ｇ…凹溝、２２…支持体、２３…中継端子、２４…リード線、２５…電流検知リレー、２６…絶縁トランス。
【図１】
2010001085.tif 000003
【図２】
2010001085.tif 000004
【図３】
2010001085.tif 000005
【図４】
2010001085.tif 000006
【図５】
2010001085.tif 000007
【図６】
2010001085.tif 000008
【図７】
2010001085.tif 000009
【図８】
2010001085.tif 000010
【図９】
2010001085.tif 000011